(57)【要約】  【課題】  測定装置と検証装置の電源を共有し、かつ検証装置を制御するマイクロコンピュータの起動を確実にする測定システム提供する。  【解決手段】  測定装置１００は、その制御を行うマイクロコンピュータ１と、測定装置を駆動するための電源２と、電源２と電気接点６をつなぐスイッチ４と、グランド５に接地された電気接点７と、接続された測定対象物がセンサであるか検証装置であるかを識別する測定対象物識別手段３を備える。検証装置２００は、その制御を行うマイクロコンピュータ８と、電気接点６と接続されマイクロコンピュータ８の電源につながる電気接点１０と、電気接点７と接続されグランド９につながる電気接点１１を備える。検証装置２００が装着されれば、スイッチ４をつなぐことで電源２から電気接点６、１０を通してマイクロコンピュータ８に電源を供給する。【選択図】  図１
2005326215.tif 000002
【特許請求の範囲】
【請求項１】
検体が適用される試験片が装着され、前記試験片における反応をモニタすることにより前記検体中の成分を分析するための測定装置と、前記測定装置における試験片の分析動作が正常に行われているか否かを検証するため検証装置とからなる測定システムであって、
前記測定装置は、前記測定装置本体を駆動するための電源と、前記電源に接続された少なくとも２つの電気的接点と、前記電気的接点への前記電源からの電力供給を制御するスイッチとを備えており、
前記検証装置は、前記測定装置の電気的接点に接続可能な少なくとも２つの電気的接点と、前記検証装置の電気的接点に接続され、前記試験片の検証動作を行うためのマイクロコンピュータとを備えており、
前記測定装置と検証装置の電気的接点どうしが接続されたことを検知した後に、前記測定装置は電気的接点に電力供給をするように前記スイッチを切り替えて、検証装置のマイクロコンピュータに電力を供給するようにしたことを特徴とする測定システム。
【請求項２】
検証装置は、試験片が装着される測定装置上の同じ部位に搭載されて、試験片の反応をシミュレートするものであり、前記測定装置は、装着されたものが試験片であるのか、それとも検証装置であるのかを、電気抵抗の相違から判別する電気的な識別手段を持ち、前記検証装置が装着されていると判別した後に、電気的接点から前記検証装置に電源を供給することを特徴とする請求項１に記載の測定システム。
【請求項３】
電気的な識別手段に代えて、試験片、あるいは検証装置のいずれか一方が測定装置に装着されたときに押圧されて駆動される機械的スイッチ手段により、識別手段を構成したことを特徴とする請求項２に記載の測定システム。
【請求項４】
電気的な識別手段に代えて、試験片、または検証装置が測定装置に装着されたときの異なる光学特性を検知する光学的検出手段により識別手段を構成したことを特徴とする請求項２に記載の測定システム。
【請求項５】
検証装置による検証動作が完了した後、測定装置は電気的接点からの電力供給を止めるように電力供給を制御するスイッチを切り替えて電力供給を停止することを特徴とする請求項１に記載の測定システム。
【発明の詳細な説明】
【技術分野】
【０００１】
本発明は、臨床分析分野に属する測定装置とその校正または検証を行う検証装置とからなる測定システムに関し、特にそれら装置間で電源を共有するための新たな方法を提案するものである。
【背景技術】
【０００２】
従来、臨床分析分野においては、病院の診察室であるいは患者のベッドサイドで、医師が簡易にしかも迅速に、患者の血液を採取して血糖値や、コレステロール値、血液の凝固時間などを測定できるようにした、小型で携帯可能な測定システムが一般に普及している。
【０００３】
このような測定システムのうち、例えば血液凝固測定を行うものは、検体である血液が適用される試験片を測定装置に装着し、所定の時間内における試験片中の試薬と血液との反応により生じる呈色、発色、蛍光などの光学的な変化を、測定装置に設けた光学系により検出し、この変化の特性から血液凝固時間を算出している。
【０００４】
このような血液凝固測定システムにおいては、測定精度を維持し、管理するために、測定装置の測定動作が正常に機能しているかどうかを、専用の検証装置を用いて定期的にチェックすることが行われている（例えば、特許文献１参照）。
【０００５】
このような検証装置は、試験片が装着される測定装置の部位に、試験片の代わりに装着されるものであり、予め定めた呈色、発色、蛍光などの光学的な変化を起こすように、検証装置に設けた表示板がマイクロコンピュータによって制御されており、この予め定められた光学的な変化を測定装置が正しく検出し分析結果を出力するか否かで、測定装置の検証を行うものである。
【０００６】
なお、従来の測定装置とその検証装置は、それぞれの装置内部に制御用のマイクロコンピュータと、装置を駆動するための電源を搭載し、独立して動作している。なお小型、携帯を可能とするため電源としては電池が広く使われている。
【特許文献１】特表２００１−５１５２０３号公報
【発明の開示】
【発明が解決しようとする課題】
【０００７】
しかしながら上記従来の構成では、検証装置の電池が消耗して、動作が不安定になったり動作が停止してしまったりした場合に検証動作を行うと、検証動作が正確に行われないこととなる。このような場合に、測定装置が正しく機能していないことを表示すると、検証装置の電池切れが問題であるにもかかわらず、使用者は測定装置自身に異常があるものと勘違いしてしまうという課題を有していた。
【０００８】
このような課題を解決するために、検証装置の電池を排除し、検証装置の電源を測定装置の電池と共有し、検証装置の電池切れの問題に対処することが考えられる。しかし電源が投入された測定装置に対して、検証装置を装着する場合に、電圧のかかった状態の測定装置の電気接点に検証装置の電気接点を接続し、検証装置のマイクロコンピュータに電源を供給しようとすると、検証装置のマイクロコンピュータの起動が不安定になるという欠点がある。
【０００９】
本発明は、上記従来の課題を解決するものであり、検証装置の電源を測定装置と接続された電気的接点から供給できるようにするとともに、測定装置と検証装置が電気的に接続されたことを確認してから検証装置に電源を供給することで、測定装置と検証装置の電源を共有し、かつ検証装置を制御するマイクロコンピュータの起動を確実にすることを目的とする。
【課題を解決するための手段】
【００１０】
前記従来の課題を解決するために、本発明の測定システムは、検体が適用される試験片が装着され、前記試験片における反応をモニタすることにより前記検体中の成分を分析するための測定装置と、前記測定装置における試験片の分析動作が正常に行われているか否かを検証するため検証装置とからなる測定システムであって、前記測定装置は、前記測定装置本体を駆動するための電源と、前記電源に接続された少なくとも２つの電気的接点と、前記電気的接点への前記電源からの電力供給を制御するスイッチとを備えており、前記検証装置は、前記測定装置の電気的接点に接続可能な少なくとも２つの電気的接点と、前記検証装置の電気的接点に接続され、前記試験片の検証動作を行うためのマイクロコンピュータとを備えており、前記測定装置と検証装置の電気的接点どうしが接続されたことを検知した後に、前記測定装置は電気的接点に電力供給をするように前記スイッチを切り替えて、検証装置のマイクロコンピュータに電力を供給するようにしたことを特徴とするものである。
【００１１】
また、その検証装置は、試験片が装着される測定装置上の同じ部位に搭載されて、試験片の反応をシミュレートするものであり、前記測定装置は、装着されたものが試験片であるのか、それとも検証装置であるのかを、電気抵抗の相違から判別する電気的な識別手段を持ち、前記検証装置が装着されていると判別した後に、電気的接点から前記検証装置に電源を供給することを特徴とするものである。
【００１２】
また、その測定装置において、電気的な識別手段に代えて、試験片、あるいは検証装置のいずれか一方が測定装置に装着されたときに押圧されて駆動される機械的スイッチ手段により、識別手段を構成したことを特徴とするものである。
【００１３】
また、その測定装置において、電気的な識別手段に代えて、試験片、または検証装置が測定装置に装着されたときの異なる光学特性を検知する光学的検出手段により識別手段を構成したことを特徴とするものである。
【００１４】
さらに、検証装置による検証動作が完了した後、測定装置は電気的接点からの電力供給を止めるように電力供給を制御するスイッチを切り替えて電力供給を停止することを特徴とするものである。
【発明の効果】
【００１５】
本発明の測定システムによれば、電池切れによる検証装置の動作不能にもとづく校正動作の失敗と、本来の測定装置の不具合による動作不良とを使用者が混同することを防止できるとともに、測定装置に装着した検証装置のマイクロコンピュータの確実な起動を行うことができる。
【発明を実施するための最良の形態】
【００１６】
以下に、本発明の測定システムについて、その実施の形態を図面とともに詳細に説明する。
（実施の形態１）
図１は、本発明の一実施の形態における測定及び検証装置のブロック図を示す。図１において、マイクロコンピュータ１は測定装置１００の制御を担っており、電源２によって駆動している。電源２と電気接点６を接続するスイッチ４は通常、オープンな状態であり、電気接点６には電圧が印加されてはいない。
【００１７】
測定装置１００に検証装置２００が接続されると、測定装置１００側の電気接点６、７は、検証装置２００の電気接点１０、１１に電気的に接続される。と同時に後述するような測定対象物識別手段３によって、測定対象物の接続とその種別が検出される。すなわちマイクロコンピュータ１は、検証装置２００が接続されたと判断すると、スイッチ４を制御し電源２と電気接点６を接続する。電源２から供給される電力は電気接点１０を通してマイクロコンピュータ８に供給され、マイクロコンピュータ８が起動する。このときスイッチ４を制御するタイミングを1秒程度遅らせて、検証装置２００の接続の安定を待っても良い。
【００１８】
また、検証装置２００による検証動作が完了した後、マイクロコンピュータ１は、スイッチ４を制御して電源２と電気接点６を切断する。電気接点１０を通してマイクロコンピュータ８に供給されていた電源２からの電力は供給されなくなり、マイクロコンピュータ８は動作を停止する。
【００１９】
以上のように、本実施の形態１においては検証装置の電源を測定装置と共有し、また測定対象物識別手段により検証装置が接続されたことを確認してから、検証装置のマイクロコンピュータに電源を供給することにより、電池切れによる検証装置の動作不能と、測定装置の本来の不具合との使用者の混同を防止し、検証装置のマイクロコンピュータの確実な起動および停止を行うことができる。
【００２０】
図２は本発明の一実施の形態において、電気的な測定対象識別手段を用いた測定及び検証装置の構成図を示す。図２において、マイクロコンピュータ１は測定装置１００の制御を担っており、電源２によって駆動している。電源２と電気接点６を接続するスイッチ４は通常オープン状態にあり、電気接点６には電力は供給されていない。また、電気接点１４は抵抗１３を通して電源２に接続されており、Ａ／Ｄコンバータ１２で読み取られる電圧は電源２の供給電圧と等しくなる。
【００２１】
ここで、測定装置１００に検証装置２００が接続されると、電気接点６、７、１４、１５は、電気接点１０、１１、１７、１８に電気的に接続される。電気接点１４と電気接点１７が接続されることにより、電気接点１４は抵抗１３を通して電源２に接続されると同時に抵抗１６を通してグランド９に接地されることになり、Ａ／Ｄコンバータ１２で読み取られる電圧は電源２の供給電圧を抵抗１３と抵抗１６によって分圧されたものになる。
【００２２】
また図３のように測定対象物がセンサ３００であった場合、電気接点１４と電気接点１５はセンサの電極２０により短絡することでグランド５に接地し、Ａ／Ｄコンバータ１２によって読み取られる電圧は接地レベルと等しくなる。マイクロコンピュータ１はＡ／Ｄコンバータ１２から読み取られる電気接点１４の電圧のレベルによって電源２の供給電圧レベルならば測定対象物が未接続である、接地レベルならばセンサが接続されている、その中間レベルならば検証装置が接続されていると識別することが可能になる。
【００２３】
ここで、検証装置が接続されていると識別された場合、スイッチ４を制御し、電源２と電気接点６を接続する。電源２から供給される電力は電気接点１０を通してマイクロコンピュータ８に供給され、マイクロコンピュータ８が起動する。
【００２４】
また、図１の測定対象物識別手段３を、機械的なスイッチ手段を用いて構成する場合、測定及び検証装置を図４に示すように構成することができる。ここで、測定装置には、センサまたは検証装置の接続によって押されるメカニカルスイッチ２１と、検証装置が接続されたときのみ押されるメカニカルスイッチ２２を備えている。
【００２５】
そしてメカニカルスイッチ２１、２２共に押されていない状態ならば測定対象物未接続である、メカニカルスイッチ２１のみが押されている状態ならばセンサが接続されている、メカニカルスイッチ２１、２２共に押されている状態ならば検証装置が接続されていると識別することができ、測定装置の電源を検証装置のマイクロコンピュータに供給することが可能になる。これにより電池切れによる検証装置の動作不能の問題をなくすとともに、検証装置のマイクロコンピュータの確実な起動を行うことができる。
【００２６】
また、図１の測定対象物識別手段３を、光学的な検出手段を用いて構成する場合、測定及び検証装置を図５に示すように構成することができる。ここで測定装置には、２つの光源２３、２４と光源２３、２４からの光を受光できるように配置された２つの独立した受光素子２５、２６を備え、センサおよび検証装置には各々異なった受光素子を遮らないようなスリット２７、２８を設けている。
【００２７】
受光素子２５、２６共に光を検知する状態ならば測定対象物未接続である、図５のｂ）のようにセンサ３００に設けられたスリット２８と対応する受光素子２５にのみ光を検知する状態ならばセンサが接続されている、図５のａ）のように検証装置２００に設けられたスリット２７と対応する受光素子２６にのみ光を検知する状態ならば検証装置が接続されていると識別することができる。これにより測定装置の電源を検証装置のマイクロコンピュータに供給することが可能になり、電池切れによる検証装置の動作不能による検証失敗を防止し、検証装置のマイクロコンピュータの確実な起動を行うことができる。
【産業上の利用可能性】
【００２８】
本発明にかかる測定システムにおける電源共有の方法によれば、検証装置の電源を測定装置と共有し、また測定対象物識別手段により検証装置が接続されたことを確認してから検証装置のマイクロコンピュータに電源を供給することにより、電池切れによる検証装置の動作不能による検証失敗を防止し、検証装置のマイクロコンピュータの確実な起動を行う機能を有し、血液凝固測定器に限らず、血糖値測定器や、コレステロール値測定器、尿酸値測定器などの他の臨床分析システム分野に属する測定装置とその検証装置の電源の共有方法として有用である。
【００２９】
また検証装置に限らず、測定装置に対して測定対象の基準となる値、例えば光量、例えば電圧値、例えば電流値を与え、測定装置の検出値の校正を行う校正装置に対しても本発明を適用することができる。
【図面の簡単な説明】
【００３０】
【図１】本発明の実施の形態１における測定装置および検証装置のブロック図
【図２】同実施の形態において電気的な測定対象物識別手段を有する測定装置および検証装置の構成図
【図３】同実施の形態においてセンサを装着した状態を示す測定装置の構成図
【図４】同実施の形態において機械的な測定対象物識別手段を有する測定装置および検証装置の構成図
【図５】同実施の形態において光学的な測定対象物識別手段を有する測定装置および検証装置の構成図
【符号の説明】
【００３１】
１，８  マイクロコンピュータ
２  電源
３  測定対象物識別手段
４  スイッチ
５，９  グランド
６，７，１０，１１  電気接点
１２  Ａ／Ｄコンバータ
１３，１６  抵抗
１４，１５，１７，１８  電気接点
１９，２０  電極
２１，２２  メカニカルスイッチ
１００  測定装置
２００  検証装置
３００  センサ
【図１】
2005326215.tif 000003
【図２】
2005326215.tif 000004
【図３】
2005326215.tif 000005
【図４】
2005326215.tif 000006
【図５】
2005326215.tif 000007